(57)【要約】【課題】従来の施工方法と、文献では、籾殻断熱材が、廃材の籾殻の有効処理と、有効活用に途を開くものであることは、知られている。しかしながら、籾殻の有効処理と、有効活用を行う際に、現場において、種々の工夫と施工、並びに面倒な作業を要求される。本発明は、これらの要求を軽減することができる建築用の殻断熱材と、その施工方法を提供する。【解決手段】建屋Ｈの天井、壁、床下の隙間に嵌め込まれる建築用の籾殻断熱材１は、方形状のダンボール体と、方形状のダンボール体に差込んだ区画形成ダンボールと、方形状のダンボールに形成した各部屋と、各部屋に充填した籾殻材とで構成する。現場での施工容易化、及び作業簡略化と、現場以外の準備の簡略化と、取扱い、搬送等の容易化とを達成する。各素材は、身近にあり、かつ壁材資材として最適で、かつ断熱性があるダンボールと籾殻材を活用する。【選択図】図１
2016153587.tif 000002
【特許請求の範囲】
【請求項１】
建屋の天井、壁、床下の隙間に嵌め込まれる建築用の籾殻断熱材であり、この籾殻断熱材は、ダンボールで形成した四面体〜六面体のダンボール体と、この四面体〜六面体のダンボール体内に充填した籾殻材とで構成し、
前記ダンボール体に、前記籾殻材と、この籾殻材の隙間に空気を充填するとともに、このダンボール体を、密封状態に維持する密封手段を設ける構成とした建築用の籾殻断熱材。
【請求項２】
前記ダンボール体を、六面体とし、この六面体の短手方向に、区画形成ダンボールを差込み、このダンボール体内に、三角形状の複数の部屋を形成し、この部屋に、前記籾殻材、及び空気を充填するとともに、このダンボール体を、開閉側板と密封手段とを介して密封可能とする請求項１に記載の建築用の籾殻断熱材。
【請求項３】
前記ダンボール体内の複数の部屋の開口は、このダンボール体の長手方向に形成し、この開口を開閉する前記開閉側板を、該ダンボール体の開口端に連設した構成とする請求項２に記載の建築用の籾殻断熱材。
【請求項４】
前記四面体〜六面体の籾殻断熱材の短手方向、及び／又は、長手方向は、前記天井、壁、床下の箇所の厚み、又は幅より、１ｍｍ乃至は２ｍｍ程度大きく形成し、この天井、壁、床下の隙間に嵌め込まれる構成とする請求項３に記載の建築用の籾殻断熱材。
【請求項５】
前記四面体〜六面体のダンボール体は、望ましくは、六面体のダンボール体とする構成とした請求項１に記載の建築用の籾殻断熱材。
【請求項６】
請求項１に記載の建屋の天井、壁、床下の隙間に嵌め込まれる建築用の四面体〜六面体の籾殻断熱材を用いた施工方法であって、この天井の垂木間の隙間、又はこの壁の柱の隙間、或いは床下の大引き間の隙間に、四面体〜六面体の籾殻断熱材を、複数個嵌め込む構成とした籾殻断熱材の施工方法。
【請求項７】
請求項１に記載の建屋の壁の隙間に嵌め込まれる建築用の四面体〜六面体の籾殻断熱材を用いた施工方法であって、この壁の柱の隙間間に、四面体〜六面体の籾殻断熱材を、複数個、かつ押圧して嵌め込む構成とした籾殻断熱材の施工方法。
【請求項８】
前記四面体〜六面体の籾殻断熱材は、前記壁の隙間に嵌め込まれるが、この壁の隙間より、厚み方向において、１ｍｍ乃至は２ｍｍ程度大きく形成し、この１ｍｍ乃至は２ｍｍ押圧して、前記隙間に嵌め込む構成とした請求項７に記載の籾殻断熱材の施工方法。
【請求項９】
前記四面体〜六面体の籾殻断熱材は、前記壁の隙間に嵌め込まれるが、この壁の隙間より、厚み方向において、１ｍｍ乃至は２ｍｍ程度大きく形成し、この１ｍｍ乃至は２ｍｍ押圧して、前記隙間に嵌め込む構成とするとともに、外壁材との間に空気の通路を形成する構成とした請求項７に記載の籾殻断熱材の施工方法。
【発明の詳細な説明】
【技術分野】
【０００１】
本発明は、建築用の籾殻断熱材及びこの籾殻断熱材の施工方法に関する。
【背景技術】
【０００２】
建屋（家屋）において、気密断熱性が無い構造では、例えば、笊で水を汲むように、家屋内（室内）の熱気が逃げて、熱効率が悪い。これに鑑み、某住建社は、気密断熱性を高めることと、自然素材であって、しかも産廃処理されている“籾殻（籾の最も外側にある皮の部分）”が有効であることに着目した。この籾殻は、空気を多く含むことと、断熱性も高く、調湿性もあり、自然素材で人体にも無害である。また、この籾殻は、リサイクル材であって、かつ軽くて燃え難い素材ということで外壁の断熱材として活用する。某住建社のネット広告（非特許文献１）の記述で有る。
【０００３】
この籾殻は、日本国内では、農家から発生した年間、略２５０万トンもの量があり、その一部は、「籾殻成形棒」や「籾殻成形炭」等に利用されている。しかし、国内では約７０％の籾殻が使い道のなく、その処理が問題である。また、自然腐蝕し難いことから、処理に困るのが現況である。このような籾殻も、考察すると、未活用地球資源であって、無尽蔵の貴重な地球資源であることと、いくら使っても環境に悪影響を及ぼさず、森林資源の保護にも大いに貢献できる資材である。
【０００４】
本発明は、この非特許文献１とともに、籾殻の処理解消と、有効活用に途を開くものである。
【０００５】
特許文献に於いて、籾殻を使用した断熱材及び籾殻壁工法に関する先行技術として、
次のような特許文献が挙げられる。
【０００６】
特許文献１（特開２０１１−２１３２１号公報）には、外壁の断熱構造として、籾殻を使用し、この籾殻を、籾殻の沈下防止用の沈下防止板を備えた構造体による枠組みされた空間に、順次、充填する構造が記載されている。特許文献１では、外壁工事の際に、現場において、枠組作業と、機材の設置及び準備等の作業と、この枠組空間への籾殻充填という作業を要する。従って、現場での手間と経験を要すること、種々の作業があり、手間と時間を要する改良点が考えられる。
【０００７】
特許文献２（特開２０１２−１６６４０８号公報）には、未粉砕の籾殻に接着剤を混合し加圧して所定形状に成形された成形本体に、植物系材料の線材が組み付けられて形成された加圧集合体である籾殻成形体が記載されている。従って、籾殻に他の部材が混入又は組み付けられており、籾殻の特性、及び効果が低減されることと、籾殻空間の特性が無くなること、等の問題が考えられる。
【先行技術文献】
【特許文献】
【０００８】
【特許文献１】特開２０１１−２１３２１号公報
【特許文献２】特開２０１２−１６６４０８号公報
【非特許文献】
【０００９】
【非特許文献１】株式会社吉田住建、100％自然素材で安心”籾殻断熱”、［online］、平成２１年３月４日、株式会社吉田住建、スタッフブログ、［平成２６年１２月１０日検索］、インターネット〈URL：http://yjyuken.com/2009/03/post-74.html〉
【発明の概要】
【発明が解決しようとする課題】
【００１０】
籾殻断熱材が、廃材の籾殻の有効処理と、有効活用に途を開くものであることは、知られている。しかしながら、籾殻の有効処理と、有効活用を行う際に、現場において、種々の工夫と施工、並びに面倒な作業を要求される。
【００１１】
そこで、本発明は、籾殻の処理解消と、有効活用を達成しつつ、現場での施工容易化、及び作業簡略化を達成し、かつ現場以外での準備、及び搬送等の容易化、及び簡略化を達成し、前述の施工容易化、及び作業簡略化に寄与することを意図する。
【００１２】
また、本発明は、ダンボール（ダンボール体）内での籾殻材の沈下防止を図るために、このダンボール体内に、区画形成ダンボールを差込み、ダンボール体内に、三角形状の複数の部屋を形成し、籾殻材の均等な充填を図り、籾殻断熱材の均等な断熱効果を確保することと、籾殻断熱材の密封は、籾殻材を充填した後に、側板の緊締を介して、確実、かつ容易に達成すること、等を意図する。
【課題を解決するための手段】
【００１３】
籾殻の処理解消と、有効活用を達成しつつ、現場での施工容易化、及び作業簡略化を達成し、かつ現場以外での準備、及び搬送等の容易化、及び簡略化を達成する最適で有って、使用の効果（断熱性と積層・素材としての強度）が認められ、かつ身近にある壁材の資材としてダンボールを活用しつつ、かつ形状維持を図ることを意図する。
【００１４】
また、ダンボール（ダンボール体）内での籾殻材の沈下防止を図るために、ダンボール体内に、区画形成ダンボールを差込み、ダンボール体内に、三角形状の複数の部屋を形成し、籾殻材の均等な充填を図り、籾殻断熱材の均等な断熱効果を確保することと、籾殻断熱材の密封は、籾殻材を充填した後に、側板の緊締を介して、確実、かつ容易に達成すること、等を意図する。
【発明の効果】
【００１５】
請求項１の発明は、建屋の天井、壁、床下の隙間に嵌め込まれる建築用の籾殻断熱材であり、籾殻断熱材は、ダンボール（ダンボール材）で形成した四面体〜六面体のダンボール体と、四面体〜六面体のダンボール体内に充填した籾殻材とで構成し、ダンボール体に、籾殻材と、この籾殻材の隙間に空気を充填するとともに、ダンボール体を、密封状態に維持する密封手段を設ける建築用の籾殻断熱材であり、籾殻の処理解消と、有効活用を達成しつつ、現場での施工容易化、及び作業簡略化を達成し、かつ現場以外での準備、及び搬送等の容易化、及び簡略化を達成できる特徴がある。また、請求項１の発明は、身近にあり、かつ壁材の資材として最適であり、かつ断熱材としての役割と、ダンボールを活用しつつ、かつ形状維持が図れることの特徴がある。
【００１６】
請求項２の発明は、ダンボール体を、六面体とし、六面体の短手方向に、区画形成ダンボールを差込み、ダンボール体内に、三角形状の複数の部屋を形成し、部屋に、籾殻材、及び空気を充填するとともに、ダンボール体を、開閉側板と密封手段とを介して密封可能とする建築用の籾殻断熱材であり、請求項１の特徴を達成できることと、この目的の達成に最適な、空気と籾殻材とを、密封状態に維持できることで、長期保存と、取扱いが極めて容易な建築用の籾殻断熱材を提供できる実益がある。また、請求項２の発明は、ダンボール内での籾殻材の沈下防止を、このダンボール体内に、区画形成ダンボールを差込み、ダンボール体内に、三角形状の複数の部屋を形成し、この部屋に籾殻材の均等な充填を図り、籾殻断熱材の均等な断熱効果を確保できることと、籾殻断熱材の密封は、籾殻材を充填した後に、側板の緊締を介して、確実、かつ容易に達成できること、等の実益と、設置による断熱効果が達成できる利点が有る。
【００１７】
請求項３の発明では、ダンボール体内の複数の部屋の開口は、ダンボール体の長手方向に形成し、開口を開閉する前記開閉側板を、ダンボール体の開口端に連設した建築用の籾殻断熱材であり、請求項１の特徴を達成できることと、この目的達成を達成できる簡易な構造の建築用の籾殻断熱材を提供できる実益がある。
【００１８】
請求項４の発明では、四面体〜六面体の籾殻断熱材の短手方向、及び／又は、長手方向は、天井、壁、床下の箇所の厚み、又は幅より、１ｍｍ乃至は２ｍｍ程度大きく形成し、この天井、壁、床下の隙間に嵌め込まれる建築用の籾殻断熱材であり、請求項１の特徴を達成できることと、この目的達成が図れる特定した寸法の建築用の籾殻断熱材を提供できる実益がある。
【００１９】
請求項５の発明では、四面体〜六面体のダンボール体は、望ましくは、六面体（方形状）のダンボール体とする構成とした建築用の籾殻断熱材であり、請求項１の特徴を達成できることと、壁材、又は床材の建築用の籾殻断熱材を提供できる実益がある。
【００２０】
請求項６の発明は、請求項１に記載の建屋の天井、壁、床下の隙間に嵌め込まれる建築用の四面体〜六面体の籾殻断熱材を用いた施工方法であり、天井の垂木間の隙間、又は壁の柱の隙間、或いは床下の大引き間の隙間に、四面体〜六面体の籾殻断熱材を、複数個嵌め込む構成とした籾殻断熱材の施工方法であり、現場での施工容易化、及び作業簡略化を達成し、かつ現場以外での準備、及び搬送等の容易化、及び簡略化を達成できる施工方法を提供できる特徴がある。また、請求項６の発明は、身近にあり、かつ壁材の資材として最適であり、かつ断熱材としての役割と、ダンボールを活用しつつ、かつ形状維持が図れる施工方法を提供できる特徴がある。
【００２１】
請求項７の発明は、請求項１に記載の建屋の壁の隙間に嵌め込まれる建築用の四面体〜六面体の籾殻断熱材を用いた施工方法であり、壁の柱の隙間間に、四面体〜六面体の籾殻断熱材を、複数個、かつ押圧して嵌め込む構成とした籾殻断熱材の施工方法であり、請求項６と同じ特徴がある。
【００２２】
請求項８の発明では、四面体〜六面体の籾殻断熱材は、壁の隙間に嵌め込まれるが、壁の隙間より、厚み方向において、１ｍｍ乃至は２ｍｍ程度大きく形成し、１ｍｍ乃至は２ｍｍ押圧して、隙間に嵌め込む構成とした籾殻断熱材の施工方法であり、請求項７の特徴を達成できることと、この目的達成が図れる寸法と形状の籾殻断熱材を使用した施工方法を提供できる実益がある。
【００２３】
請求項９の発明では、四面体〜六面体の籾殻断熱材は、壁の隙間に嵌め込まれるが、壁の隙間より、厚み方向において、１ｍｍ乃至は２ｍｍ程度大きく形成し、１ｍｍ乃至は２ｍｍ押圧して、隙間に嵌め込む構成とするとともに、外壁材との間に空気の通路を形成する構成とした籾殻断熱材の施工方法であり、請求項７の特徴を達成できることと、この目的の達成が図れる特定した寸法の籾殻断熱材を使用した施工方法を提供できる実益がある。
【図面の簡単な説明】
【００２４】
【図１】建屋に籾殻断熱材を施工する一例の要部の縮尺断面図である。
【図２】図１に示した建屋の壁を示した断面斜視図である。
【図３】建屋の垂木、間柱等の隙間に施工する籾殻断熱材の一例を示した端面図で、（イ）は３００ｍｍ寸法の例、（ロ）は３６０ｍｍ寸法の例を、また（ハ）は４５０ｍｍの例をそれぞれ示している。
【図４−１】（イ）に示した籾殻断熱材であり、そのダンボール体と、籾殻材を示した一部欠截の斜視図を示している。
【図４−２】（イ）に示した他の一例の籾殻断熱材であり、そのダンボール体内に、第一例の区画形成ダンボールを差込んだ状態の斜視図を示している。
【図４−３】図４−２において、区画形成ダンボールで形成された多数の部屋に、開放された開閉側板（ダンボール体の側面の開口）より籾殻材を充填した状態を示した一部欠截の斜視図を示している。
【図４−４】図４−３に示した開閉側板を締め、密着手段（テープ）で密閉した状態を示した一部欠截の斜視図を示している。
【図４−５】区画形成ダンボールを示した斜視図である。
【図４−６】（イ）に示した別の一例（実施に即した）の籾殻断熱材であり、そのダンボール体内に、第二例の区画形成ダンボールを差込み、かつ粘着テープで固定し、その空間に籾殻材を充填した状態の斜視図を示している。
【図４−７】図４−６に示した開閉側板を締め、密着手段（テープ）で密閉した状態を示した一部欠截の斜視図を示している。
【図４−８】（イ）に示したさらに別の一例（実施に即した）の籾殻断熱材であり、そのダンボール体内に、第三例の区画形成ダンボールを差込み、かつ粘着テープで固定し、その空間に籾殻材を充填した状態の斜視図を示している。
【図４−９】図４−８に示した開閉側板を締め、密着手段（テープ）で密閉した状態を示した一部欠截の斜視図を示している。
【図５】（イ）に示した籾殻断熱材であり、屋根（屋根地）に葺設した状態の斜視図の一例を示している。
【図６】（ハ）に示した籾殻断熱材であり、柱と間柱の隙間に施工した状態の断面図の一例を示している。
【図７】（ハ）に示した籾殻断熱材であり、間柱と間柱の隙間に施工した状態の断面図の一例を示している。
【図８】（ハ）に示した籾殻断熱材であり、壁に施工した状態の斜視図の一例を示している。
【図９】（ハ）に示した籾殻断熱材であり、土台と大引との隙間（床下）に施工した状態の斜視図の一例を示している。
【発明を実施するための形態】
【００２５】
以下、本発明の好ましい、一例を説明する。
【００２６】
１は四面体〜六面体の籾殻断熱材（一例として、方形状の籾殻断熱材１として図示した。以下同じ）であり、籾殻断熱材１は、ダンボール（ダンボール材）で形成した四面体〜六面体のダンボール体１００（一例として、方形状のダンボール体１００として図示した。図４に示すように、ダンボール外郭体）と、方形状のダンボール体１００内に充填した籾殻材１０１とで構成する。籾殻断熱材１を密着手段（テープ１０６、又は糊、ホッチキス等の封緘具）で密閉（密封）し、中に充填された空気１０２を貯留するとともに、籾殻材１０１間に空間部１０３が形成される。方形状のダンボール体１００を密封（密閉）することで、内部の熱容量の大きな空気１０２、及び／又は、空間部１０３を閉じ込め構造とする。これにより、熱容量の大きな空気１０２、及び／又は、空間部１０３による断熱効果（保冷保熱効果）と遮音効果とが図れる特徴がある。本発明では、方形状のダンボール体１００に、熱容量の大きな空気１０２、及び／又は、空気を取込みできる籾殻材１０１を、充填かつ密着手段で密閉することで、空気１０２の量、及び／又は、籾殻材１０１を介して取込んだ空気の量を規定できることと、特定（品質確保）ができる。そして、この空気１０２の量、及び／又は、籾殻材１０１を介して取込んだ空気の量を、工場で製作することで、規格化された籾殻断熱材１を、確実、かつ正確に製作できる特徴があり、後述する壁、屋根Ｈ１、又は床Ｈ３等の建屋Ｈの断熱性、及び／又は、調湿性の画一化が図れる特徴と、容易な施工が可能となる。その他の形状のダンボール体１００は、図示しないが、目的と構造は同じである。また、本発明は、方形状のダンボール体１００と、籾殻材１０１、並びに空間部１０３とで構成することで、呼吸する構造の籾殻断熱材１を形成できる。また、空間部１０３は空気の流通を図り、結露防止に役立つ特徴がある。尚、方形状のダンボール体１００を折畳み状態で持参し、持参した籾殻材１０１とで、現場で組立てることも可能である。
【００２７】
尚、必要により、方形状のダンボール体１００は、使用済の方形状のダンボールを再利用し、資源の有効利用と、処理の軽減化、又は経費の削減とを図ることも有益である。また、籾殻材１０１は、廃材とするが、図示しない、例えば、新しい籾殻材とか、籾殻材規格品と、木質所定の材質とを採用することも可能である。両者の再利用化を図ることで、資源・廃材の有効利用と、処理の軽減化、又は経費の削減とを達成できる。
【００２８】
籾殻断熱材１は、後述するように、建屋Ｈの各隙間１０００〜１００２（空間）に嵌め込みされる。その一例を、図３と、図５〜図９に於いて説明する。
【００２９】
図３と図５は、屋根Ｈ１（屋根地）の垂木１０の隙間１０００に籾殻断熱材１を施工した一例の端面図で、（イ）は３００ｍｍ寸法の例、（ロ）は３６０ｍｍ寸法の例を、また（ハ）は４５０ｍｍの例をそれぞれ示している。そして、図５の如く、（イ）に示した籾殻断熱材１を、屋根Ｈ１（屋根地）に葺設した状態の一例を示している。この際に、籾殻断熱材１の肉厚１ａを、垂木１０間の幅（屋根地の厚みで、通気層Ｈ１−１「２０ｍｍ〜３０ｍｍ」を除いた幅、例えば、１２０ｍｍ）より大きい、１３０ｍｍ（略１割程度）として、強制的に押圧支持して、形状の安定と、耐性を確保する構造とする。図中の数値は、垂木１０の寸法、この垂木１０間の寸法（隙間１０００の構造）と、方形状の籾殻断熱材１の各寸法等の好ましい一例を示しているが、一例である。尚、通気層Ｈ１−１は、屋根Ｈ１の空気の流れを示し、暖冷房、及び／又は、換気等に役立てる。
【００３０】
図４−２〜図４−４と図５（参照）に示した籾殻断熱材の他の一例（実施に即した）では、隙間１０００に施工する籾殻断熱材１では、方形状のダンボール体１００内の横方向（細幅方向）に、図４−５に示した区画形成ダンボール１０４を差込み、内部１００−１に区画された部屋１０５を複数形成する。この際に、望ましくは、区画形成ダンボール１０４の折畳み方向の両端部１０４ａ、１０４ａを、方形状のダンボール体１００の対峙する内角部に当接するとともに、区画形成ダンボール１０４の折曲片１０４ｂを、方形状のダンボール体１００の両側面内側に当接することで、この区画形成ダンボール１０４と方形状のダンボール体１００との形状確保と、方形状のダンボール体１００の強度の向上が図れる。この例では、方形状のダンボール体１００と区画形成ダンボール１０４の方向性の組合わせであり、強度、荷重抵抗、耐震強度、音・湿度・温度遮断効果等の向上に寄与できる。しかし、一例であり、後述する、方形状のダンボール体１００と区画形成ダンボール１０４の方向性が同じ構造も有り得る。また、区画形成ダンボール１０４の短手方向の両端部１０４ｃ、１０４ｃを、方形状のダンボール体１００の長手方向の内面と、開閉側板１００ａの内面に当接する構造とすると、全体の強度向上と、捻りに対する抵抗向上等に有益である。また、図示しないが、他の構造、例えば、短手方向に折畳み形状した区画形成ダンボールを、方形状のダンボール体１００の長手方向に、差込む構造においても、同様と考えられる。
【００３１】
この一例では、方形状のダンボール体１００の長手方向（長手方向一例であり、図示しないが短手方向も有り得る）に設けた開閉側板１００ａを開放し、この方形状のダンボール体１００の開口１００ｂより、内部に区画形成ダンボール１０４を差込んだ状態で、複数の部屋１０５が形成されるので、開口１００ｂを利用し、部屋１０５に指定量の籾殻材１０１と空気を充填する。
【００３２】
この一例では、開閉側板１００ａで開口１００ｂを締め、密着手段（テープ１０６、又は糊、ホッチキス等の封緘具）で密閉する。尚、方形状のダンボール体１００、及び／又は、区画形成ダンボール１０４は折畳み状態で持参し、持参した籾殻材１０１とで、現場で組立てることも可能である。現場で組立てることも可能である。
【００３３】
図４−６・図４−７と図５（参照）に示した籾殻断熱材１の別の一例（実施に即した）では、隙間１０００に施工する籾殻断熱材１では、方形状のダンボール体１００内の横方向（細幅方向）に、図示した複数個の区画形成ダンボール１０４−１を、間欠的に差込み、内部１００−１に区画された部屋１０５と、部屋１０５の開口１００ｂを複数形成する。この際に、望ましくは、ダンボール体１００と区画形成ダンボール１０４−１とを粘着テープで固定する。即ち、部屋１０５、及び／又は、開口１００ｂを均等に形成する。この開口１００ｂを利用し、部屋１０５に指定量の籾殻材１０１と空気を充填する。その他は、前述の図４−２〜図４−４の構造と効果に準ずる。
【００３４】
図４−８・図４−９と図５（参照）に示した籾殻断熱材１のさらに別の一例（実施に即した）では、隙間１０００に施工する籾殻断熱材１は、方形状のダンボール体１００内の横方向（細幅方向）に、図示した、例えば、二個の区画形成ダンボール１０４−２を、間隔をおいて差込み、内部１００−１に区画された部屋１０５と、部屋１０５の開口１００ｂを、例えば、三箇所形成する。その他は、前述の別の一例と、図４−２〜図４−４の構造と効果に準ずる。
【００３５】
図６〜図８は、壁Ｈ２（外壁）に籾殻断熱材１を施工する方法であり、図６は、柱１１と間柱１１ａの隙間１００１に施工した状態の断面図で、図７は、間柱１１ａと間柱１１ａの隙間１００１に施工した状態の断面図である。また、図８は、床合板１２、又は土台１３と、胴差１４、又は桁１６間に、順次、籾殻断熱材１を施工した状態の斜視図である。図中の数値は、柱１１、間柱１１ａの寸法、この柱１１、間柱１１ａ間等の寸法と、方形状の籾殻断熱材１の形状の好ましい一例を示しているが、一例である。その他、例えば、壁Ｈ２を構成する籾殻断熱材１の肉厚１ａ・通気層Ｈ１−１の構造・隙間１００１とか、その他の構造と役割等は、前述の図３と図５の例に準ずる。
【００３６】
図９は、床Ｈ３（床下の構造）に籾殻断熱材１を施工する方法であり、土台１３と大引１５との隙間１００２に、順次、籾殻断熱材１を施工した（敷詰めた）状態の斜視図である。方形状の籾殻断熱材１の形状の好ましい一例を示しているが、一例である。その他、例えば、床Ｈ３を構成する籾殻断熱材１の肉厚１ａ・通気層Ｈ１−１の構造・隙間１００２とか、その他の構造と役割等は、前述の図３と図５、又は図６〜図８の例に準ずる。
【００３７】
以上で建屋Ｈの主たる施工分野に関して説明したが、その他として、例えば、間仕切り、折畳みカーテン等の分野でも採用可能と考えられる。構造、及び／又は、施工等は前述の例に準ずる。
【００３８】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００３９】
１  籾殻断熱材
１ａ  肉厚
１００  方形状のダンボール体
１００ａ  開閉側板
１００ｂ  開口
１０１  籾殻材
１０２  空気
１０３  空間部
１０４  区画形成ダンボール
１０４−１  区画形成ダンボール
１０４−２  区画形成ダンボール
１０４ａ  端部
１０４ｂ  折曲部
１０４ｃ  端部
１０５  部屋
１０６  テープ
１０００  隙間
１００１  隙間
１００２  隙間
１０  垂木
１１  柱
１１ａ  間柱
１２  床合板
１３  土台
１４  胴差
１５  大引
１６  桁
Ｈ  建屋
Ｈ１  屋根
Ｈ１−１  通気層
Ｈ２  壁
Ｈ３  床
【図１】
2016153587.tif 000003
【図２】
2016153587.tif 000004
【図３】
2016153587.tif 000005
【図４−１】
2016153587.tif 000006
【図４−２】
2016153587.tif 000007
【図４−３】
2016153587.tif 000008
【図４−４】
2016153587.tif 000009
【図４−５】
2016153587.tif 000010
【図４−６】
2016153587.tif 000011
【図４−７】
2016153587.tif 000012
【図４−８】
2016153587.tif 000013
【図４−９】
2016153587.tif 000014
【図５】
2016153587.tif 000015
【図６】
2016153587.tif 000016
【図７】
2016153587.tif 000017
【図８】
2016153587.tif 000018
【図９】
2016153587.tif 000019